(57)【要約】【課題】塵の詰まりを早急に検出して処置することができ、集塵効率を高めることのできる塵詰まり検出装置を提供する。【解決手段】塵詰まり検出装置２０は、ダクト本管１１と、このダクト本管１１から分岐し、かつ、複数の加工装置１２にそれぞれ接続されて、各加工装置１２から排出される塵を吸引する複数の分岐ダクト１３とを備えた集塵装置１０に用いられて、ダクト本管１１又は分岐ダクト１３における塵の詰まりを検出する装置であり、ダクト本管１１の末端部開口に設けられて、該末端部開口における空気の吸引力を検知する吸引力検知手段を備えている。【選択図】図１
2005305965.tif 000002
【特許請求の範囲】
【請求項１】
ダクト本管と、このダクト本管から分岐し、かつ、複数の加工装置にそれぞれ接続されて、各加工装置から排出される塵を吸引する複数の分岐ダクトとを備えた集塵装置に用いられて、前記ダクト本管又は分岐ダクトにおける塵の詰まりを検出する塵詰まり検出装置であって、
前記ダクト本管の末端部開口に設けられて、該末端部開口における空気の吸引力を検知する吸引力検知手段を備えていることを特徴とする塵詰まり検出装置。
【請求項２】
請求項１に記載の塵詰まり検出装置において、
前記吸引力検知手段は、前記吸引力を受ける羽根部と、該羽根部を前記ダクト本管の末端部開口で支持し、前記羽根部が前記吸引力を受けることにより付勢力に抗して吸引される吸引方向又は、付勢力によって吸引方向と逆方向に回動させる回動手段とを備えていることを特徴とする塵詰まり検出装置。
【請求項３】
請求項２に記載の塵詰まり検出装置において、
前記回動手段の回動に連動して警報する警報手段を備えていることを特徴とする塵詰まり検出装置。
【請求項４】
請求項３に記載の塵詰まり検出装置において、
前記回動手段は、先端部で前記羽根部を支持し、該羽根部に連動して前記吸引方向又は、吸引方向と逆方向に回動する回動部材と、該回動部材の基端部に一体に形成されて回動部材の回動に連動して軸回りに回転可能な回転体と、この回転体又は回動部材によって回転運動を与えられるカム部とを備え、
前記警報手段は、前記回動部材及び回転体に連動して前記カム部に沿って移動し、これにより警報の開始又は停止を制御するレバー部を備えていることを特徴とする塵詰まり検出装置。
【請求項５】
請求項３又は４に記載の塵詰まり検出装置において、
前記警報手段は、ランプの点灯と警報音のうちの少なくともいずれか一方によって警報することを特徴とする塵詰まり検出装置。
【発明の詳細な説明】
【技術分野】
【０００１】
本発明は、集塵装置に用いられて、ダクト本管又は分岐ダクトにおける塵の詰まりを検出する塵詰まり検出装置に関する。
【背景技術】
【０００２】
一般に、木材等を加工する工場等では、木材等のワークをカッタやドリルを備えた加工装置によって切断、切削又は穴を開ける加工を施すため切屑等の粉塵が大量に発生する。そのため、このような工場においては、労働環境の維持や、工場内を清浄に保ち、清掃作業等を軽減するために集塵装置を配置することによって各加工装置から発生する粉塵を工場内に噴出しないように防止している。
従来、このような集塵装置としては、複数の加工装置から排出される切屑等の塵を吸引する吸引機構と、この吸引機構に接続されたダクト本管と、ダクト本管から分岐して複数の加工装置それぞれに接続された複数の分岐ダクトとを備えたものが知られている（例えば、特許文献１参照）。また、この集塵装置では、複数の分岐ダクトのうち、少なくとも１本の分岐ダクトに、分岐ダクトの流路を開閉する流路開閉手段が設けられており、この流路開閉手段で流路を閉鎖することによってダクト本管の気密性を高めることができるように構成されている。
【特許文献１】特開２００３−３９３８８号公報
【発明の開示】
【発明が解決しようとする課題】
【０００３】
しかしながら、上述の集塵装置において、例えば、ダクト本管や分岐ダクトの一部で塵が詰まってしまった場合、塵の詰まりを検出する検出機構を特に備えていないので、その検出に時間がかかり、ある程度吸引力が低下してから検出されるため、塵の詰まりによる修理等の処置に大掛かりな作業を要してしまい、集塵効率の低下が問題とされていた。
本発明は、上記事情に鑑みてなされたもので、塵の詰まりを早急に検出して処置することができ、集塵効率を高めることのできる塵詰まり検出装置を提供することを目的としている。
【課題を解決するための手段】
【０００４】
上記課題を解決するために、請求項１の発明は、例えば、図１〜図３に示すように、ダクト本管１１と、このダクト本管１１から分岐し、かつ、複数の加工装置１２にそれぞれ接続されて、各加工装置１２から排出される塵を吸引する複数の分岐ダクト１３とを備えた集塵装置１０に用いられて、前記ダクト本管１１又は分岐ダクト１３における塵の詰まりを検出する塵詰まり検出装置２０であって、
前記ダクト本管１１の末端部開口に設けられて、該末端部開口における空気の吸引力を検知する吸引力検知手段を備えていることを特徴とする。
【０００５】
請求項１の発明によれば、ダクト本管１１の末端部開口に設けられた吸引力検知手段によって、吸引力の変動を検知することができる。例えば、ダクト本管１１又はこのダクト本管１１に接続された分岐ダクト１３の一部で塵の詰まりが生じた場合に、ダクト本管１１の末端部開口における空気の吸引力の低下を検知できる。このように吸引力検知手段によって早急に塵の詰まりを検出できることから、集塵装置１０に対して所望の処置を施すことが可能となり、集塵効率も高めることができる。
【０００６】
請求項２の発明は、例えば、図１〜図３に示すように、請求項１に記載の塵詰まり検出装置２０において、
前記吸引力検知手段は、前記吸引力を受ける羽根部２２と、該羽根部２２を前記ダクト本管１１の末端部開口で支持し、前記羽根部２２が前記吸引力を受けることにより付勢力に抗して吸引される吸引方向Ｘ又は、付勢力によって吸引方向Ｘと逆方向に回動させる回動手段２３とを備えていることを特徴とする。
【０００７】
請求項２の発明によれば、羽根部２２で受けた吸引力の変動によって、回動手段２３が付勢力に抗して羽根部２２を吸引方向Ｘに回動させたり、付勢力によって吸引方向Ｘと逆方向に回動させる。すなわち、ダクト本管１１や分岐ダクト１３の一部で塵の詰まりが生じた場合に、羽根部２２で受ける吸引力が低下するため、付勢力に抗して吸引方向Ｘに吸引されていた羽根部２２及び回動手段２３が、付勢力によって吸引方向Ｘと逆方向に回動される。したがって、羽根部２２及び回動手段２３の回動の変化により、容易に吸引力の変動を検知でき、その結果、塵の詰まりを早急に検知して処置することができ、集塵効率の向上につながる。
【０００８】
請求項３の発明は、例えば、図１〜図３に示すように、請求項２に記載の塵詰まり検出装置２０において、
前記回動手段２３の回動に連動して警報する警報手段２５を備えていることを特徴とする。
【０００９】
請求項３の発明によれば、回動手段２３の回動に連動して警報手段２５が警報するので、例えば、塵の詰まりが生じて吸引力が低下した場合に、上述のように回動手段２３が付勢力によって吸引方向Ｘと逆方向に回動することにより、この回動に連動して警報手段２５が警報する。その結果、作業者は塵の詰まりを早急に検知して処置することができ、集塵効率をより高めることができる。
【００１０】
請求項４の発明は、例えば、図１〜図３に示すように、請求項３に記載の塵詰まり検出装置２０において、
前記回動手段２３は、先端部で前記羽根部２２を支持し、該羽根部２２に連動して前記吸引方向Ｘ又は、吸引方向Ｘと逆方向に回動する回動部材２３３と、該回動部材２３３の基端部に一体に形成されて回動部材２３３の回動に連動して軸回りに回転可能な回転体２３２と、この回転体２３２又は回動部材２３３によって回転運動を与えられるカム部２３１とを備え、
前記警報手段２５は、前記回動部材２３３及び回転体２３２に連動して前記カム部２３１に沿って移動し、これにより警報の開始又は停止を制御するレバー部２８を備えていることを特徴とする。
【００１１】
請求項４の発明によれば、警報手段２５のレバー部２８が、回動部材２３３及び回転体２３２に連動してカム部２３１に沿って移動し、これにより警報の開始又は停止を制御するので、警報手段２５のレバー部２８によって自動的に警報を開始したり停止したりするため、塵の詰まりを検出して警報するまでの一連の工程を自動的に行うことができる。
また、カム部２３１と、このカム部２３１に沿って移動するレバー部２８とによって警報の開始又は停止を制御するといった単純な構成であるため、その製造も容易である。
【００１２】
請求項５の発明は、例えば、図１〜図３に示すように、請求項３又は４に記載の塵詰まり検出装置２０において、
前記警報手段２５は、ランプの点灯と警報音のうちの少なくともいずれか一方によって警報することを特徴とする。
【００１３】
請求項５の発明によれば、警報手段２５はランプの点灯と警報音のうちの少なくともいずれか一方によって警報するので、作業者に確実に知らせることができる。
【発明の効果】
【００１４】
本発明に係る塵詰まり検出装置によれば、ダクト本管の末端部に設けられた吸引力検知手段によって吸引力の変動を検知でき、塵の詰まりが生じた場合に吸引力の低下を早急に検知できることから、集塵装置に対して所望の処置を施すことが可能となり、集塵効率も高めることができる。
【発明を実施するための最良の形態】
【００１５】
以下、本発明の実施の形態について図面を参照して説明する。
図１は、本発明の塵詰まり検出装置が使用される集塵装置の概略図、図２は、集塵装置の正常時における塵詰まり検出装置の斜視図、図３は、集塵装置に塵が詰まった場合における塵詰まり検出装置の斜視図である。
図１に示すように、本発明に係る塵詰まり検出装置２０は、ダクト本管１１と、このダクト本管１１から分岐し、かつ、複数の加工装置１２にそれぞれ接続されて、各加工装置１２から排出される塵を吸引する複数の分岐ダクト１３とを備えた集塵装置１０に用いられて、ダクト本管１１又は分岐ダクト１３における塵の詰まりを検出する装置である。
【００１６】
ダクト本管１１は、亜鉛引き鋼板製の長尺な管であり、ダクト本管１１の一方の端部は吸引機構１４に接続されており、ダクト本管１１の内部の塵が吸引機構１４によって吸引されるようになっている。また、ダクト本管１１の側面には、分岐ダクト１３が複数接続されており、分岐ダクト１３を介して複数の加工装置１２とダクト本管１１とが接続されている。ダクト本管１１の末端部は開口されており、この末端部に本発明の塵詰まり検出装置２０が取り付けられている。
分岐ダクト１３は、フレキシブルホースと亜鉛引き鋼板製の管とにより構成されるものであり、管が長さ方向に伸縮可能であり、かつ、撓みが可能となっており、接続する加工装置１２の動作による接続位置の移動に対応可能となっている。
【００１７】
塵詰まり検出装置２０は、ダクト本管１１の末端部開口におけるフランジ部１１aに取り付けられる本体部２１と、末端部開口における空気の吸引力を受ける羽根部２２と、該羽根部２２をダクト本管１１の末端部開口で支持し、羽根部２２が吸引力を受けることにより付勢力に抗して吸引される吸引方向Ｘ又は、付勢力によって吸引方向Ｘと逆方向に回動するように支持する回動手段２３とを備えている。
【００１８】
本体部２１は、上述の回動手段２３が設けられる鋼材２１Ａと、この鋼材２１Ａに一体に形成されて後述する警報手段２５のレバー部２８が設けられる鋼材２１Ｂとを備えている。そして、鋼材２１Ａの下面がダクト本管１１のフランジ部１１aにボルトＢによって締結されることにより、本体部２１がダクト本管１１に固定されている。
鋼材２１Ａは、その側面に、該側面から外側に向けて突出する軸部２１１が形成されており、この軸部２１１に回動手段２３の回転体２３２が回転可能に設けられるとともに、軸部２１１の先端に設けられた抜け止め部材２１２によって鋼材２１Ａの側面に固定されている。
また、鋼材２１Ａの上端部には、上方に突出し、後述する回動部材２３３を吸引方向Ｘと逆方向に回動するように付勢するバネ２４を取り付けるためのバネ取り付け部２１３が設けられている。このバネ取り付け部２１３に、バネ２４の一端部が取り付けられ、他端部が回動部材２３３に取り付けられている。
【００１９】
回動手段２３は、先端部で羽根部２２を支持し、羽根部２２に連動して吸引方向Ｘ又は、吸引方向Ｘと逆方向に回動する回動部材２３３と、この回動部材２３３の基端部に一体に形成されて回動部材２３３の回動に連動して軸回りに回転可能な回転体２３２と、この回転体２３２又は回動部材２３３によって回転運動を与えられるカム部２３１とを備えている。詳細には、回転体２３２は側面視略六角形状で、鋼材２１Ａの側面に軸部２１１中心に回転可能に取り付けられており、その外周面からダクト本管１１の開口側へと延在するように棒状の回転部材２３３が一体に形成されている。また、この回動部材２３３の基端部に、回転体２３２の外周面の六角形状に沿って山形状、すなわち、平坦部２３１aと角部２３１bとを有するカム部２３１が形成されている。そして、回動部材２３３及び回転体２３２に連動して、後述するレバー部２８の頭部がカム部２３１に沿って移動するようになっている。
また、回転体２３２の外周面には、略Ｌ字型のストッパー２３４が一体に取り付けられている。ストッパー２３４は、その一端部が回転体２３２の外周面に固定され、他端部が回転体２３２の回転に伴って鋼材２１Ａの下面で係止する位置（図３参照）と、その係止が外される位置（図２参照）との間を回転可能とされている。つまり、回転体２３２が吸引方向Ｘと逆方向に回転することによりストッパー２３４の他端部が鋼材２１Ａの下面に係止して、その回転が停止されるようになっている（図３参照）。
【００２０】
羽根部２２は、羽子板状をなした薄板状の鋼材であって、ダクト本管１１に対して略水平となるように回動部材２３３の先端部に取り付けられており、羽根部２２の下面で吸引力を受けるようになっている。
【００２１】
一方、本体部２１の鋼材２１Ａに一体に形成された鋼材２１Ｂは、回動手段２３の回動に連動して警報する警報手段２５が設けられている。
警報手段２５としては、ランプの点灯及び警報音によって警報する警報機（図示略）が挙げられる。そして、警報機のスイッチ２７が鋼材２１Ｂに取り付けられている。スイッチ２７は、回動手段２３の回動に伴ってスイッチ２７の電源を作動させるレバー部２８及びプッシュボタン２６を備えている。
具体的には、鋼材２１Ｂの一方の側面（図２及び図３中裏面）にスイッチ２７が取り付けられており、レバー部２８の頭部が、鋼材２１Ａと鋼材２１Ｂとの間に形成された切欠部２７aから突出し、このレバー部２８の下端部にプッシュボタン２６が位置している。また、レバー部２８の頭部は、回動部材２３３の回動に伴ってカム部２３１に沿って移動するようになっている。すなわち、レバー部２８がその下端部を軸中心として、頭部がカム部２３１の（図中右側）平坦部２３１aから（図中左側）角部２３１bに移動することによって、プッシュボタン２６がレバー部２８の下端部で押されて、スイッチ２７が作動して警報が開始される。反対に、レバー部２８がその下端部を軸中心として、頭部がカム部２３１の（図中左側）角部２３１bから（図中右側）平坦部２３１aに移動することによって、レバー部２８の下端部がプッシュボタン２６から外れて、スイッチ２７が作動して警報が停止されるようになっている。
【００２２】
次に、上述の構成からなる本発明に係る塵詰まり検出装置２０の動作について説明する。
図２に示すように、塵が詰まっておらず、集塵装置１０が正常に稼働している場合は、羽根部２２及び回動部材２３３がバネ２４の付勢力に抗して、ダクト本管１１の末端部から基端部へと吸引される吸引方向Ｘに回動されて、ダクト本管１１に対して羽根部２２が略水平となる位置で保たれている。また、この際にレバー部２８は、カム部２３１の平坦部２３１aで固定され、ストッパー２３４の他端部が鋼材２１Ａの下面から離れて、回転体２３２が回転可能な状態とされている。
【００２３】
この状態から、例えば、ダクト本管１１や分岐ダクト１３の一部に塵が詰まった場合には、羽根部２２が受ける吸引力が低下するため、これまでバネ２４の付勢力に抗して吸引方向Ｘに回動した状態で固定されていた羽根部２２及び回動部材２３３が、バネ２４の付勢力によって吸引方向Ｘと逆方向に回動し、図３に示すように、羽根部２２はダクト本管１１の水平面に対して傾斜した状態となる。そして、このとき同時に回動部材２３３の回動に伴って、レバー部２８が、その下端部を軸中心として、カム部２３１に沿って頭部が平坦部２３１aから角部２３１bに移動するとともに、ストッパー２３４の他端部が鋼材２１Ａの下面に係止して、回転体２３２の回転が停止される。この際に、レバー部２８の下端部でプッシュボタン２６が押されることにより、スイッチ２７が自動的に切り替えられて警報機のランプが点灯するとともに警報音が鳴る。
【００２４】
また、塵の詰まりを除去して処置した後は、羽根部２２が受ける吸引力が元の状態まで増加するため、バネ２４の付勢力に抗して羽根部２２及び回動部材２３３が吸引方向Ｘに回動して元の位置まで戻る。これと同時に回動部材２３３の回動に伴って、レバー部２８が、その下端部を軸中心として、カム部２３１に沿って頭部が角部２３１bから平坦部２３１aに移動するとともに、ストッパー２３４の他端部が鋼材２１Ａの下面から離れる。この際に、レバー部２８の下端部がプッシュボタン２６から外れることにより、スイッチ２７が自動的に切り替えられて警報機のランプの点灯及び警報音が停止する。
【００２５】
以上、本発明の実施の形態の塵詰まり検出装置２０によれば、ダクト本管１１の末端部の羽根部２２で受けた吸引力の変動によって、回動部材２３３がバネ２４の付勢力に抗して吸引方向Ｘに回動したり、バネ２４の付勢力によって吸引方向Ｘと逆方向に回動する。すなわち、ダクト本管１１や分岐ダクト１３の一部で塵の詰まりが生じた場合に、羽根部２２で受ける吸引力が低下するため、付勢力に抗して吸引方向Ｘに吸引されていた羽根部２２及び回動部材２３３が付勢力によって吸引方向Ｘと逆方向に回動される。したがって、羽根部２２及び回動部材２３３の回動の変化により、容易に吸引力の変動を検知でき、その結果、塵の詰まりを早急に検知して処置することができ、集塵効率の向上につながる。
【００２６】
また、警報手段２５のレバー部２８が回動部材２３３の回動に伴ってカム部２３１に沿って移動することによって警報の開始又は停止を制御するので、警報が開始されることにより、作業者は塵の詰まりを早急に検知して所望の処置を施すことができる。また、このように塵の詰まりを検出して警報するまでの一連の工程を自動的に行うことができ、さらには、単純な構成であるのでその製造も容易である。
また、警報手段２５はランプの点灯と警報音とによって警報するので、作業者に確実に知らせることができる。
【００２７】
なお、本発明の塵詰まり検出装置２０は、上記実施の形態に限定されるものではなく、各構成部材の形状、寸法等の具体的構成要件はその要旨を逸脱しない範囲で適宜変更可能なものとする。
【図面の簡単な説明】
【００２８】
【図１】本発明の実施の形態を示すためのもので、集塵装置の概略図である。
【図２】同、集塵装置の正常時における塵詰まり検出装置の斜視図である。
【図３】同、集塵装置に塵が詰まった場合における塵詰まり検出装置の斜視図である。
【符号の説明】
【００２９】
１０  集塵装置
１１  ダクト本管
１２  加工装置
１３  分岐ダクト
２０  塵詰まり検出装置
２２  羽根部
２３  回動手段
２５  警報手段
２８  レバー部
２３１  カム部
２３２  回転体
２３３  回動部材
Ｘ  吸引方向
【図１】
2005305965.tif 000003
【図２】
2005305965.tif 000004
【図３】
2005305965.tif 000005